(57)【要約】【課題】消費者に対する宣伝効果を高める。特に画像データを収集するユーザに対する宣伝効果を高めることができる。【解決手段】広告画像配信サーバ、広告画像配信サーバと通信する印刷装置を備えた広告画像配信システムであって、印刷装置は、画像を印刷する印刷部、および、印刷部において印刷が異常を検知することなく終了した場合にその旨を示す印刷済情報を出力する印刷済情報出力部を有し、広告画像配信サーバは、広告を含む広告有画像、および、広告有画像から広告を除いた広告無画像を対応付けて格納する画像格納部と、広告有画像と広告無画像とを配信する画像配信部と、印刷装置の印刷済情報出力部から広告有画像について印刷済情報を受信した後に、広告有画像に対応付けられた広告無画像を画像配信部から当該印刷装置に配信することを許可する配信許可部とを有する。【選択図】図２
2007199126.tif 000002
【特許請求の範囲】
【請求項１】
広告画像配信サーバ、前記広告画像配信サーバと通信する印刷装置を備えた広告画像配信システムであって、
前記印刷装置は、画像を印刷する印刷部、および、前記印刷部において印刷が異常を検知することなく終了した場合にその旨を示す印刷済情報を出力する印刷済情報出力部を有し、
前記広告画像配信サーバは、
広告を含む広告有画像、および、前記広告有画像から広告を除いた広告無画像を対応付けて格納する画像格納部と、
前記広告有画像と前記広告無画像とを配信する画像配信部と、
前記印刷装置の前記印刷済情報出力部から前記広告有画像について前記印刷済情報を受信した後に、前記広告有画像に対応付けられた前記広告無画像を前記画像配信部から当該印刷装置に配信することを許可する配信許可部と
を有する広告画像配信システム。
【請求項２】
前記広告画像配信サーバの前記配信許可部は、前記印刷装置が前記広告有画像の印刷を正常に終了してから予め定められた期間後に、前記広告無画像を配信することを許可する請求項１に記載の広告画像配信システム。
【請求項３】
前記広告画像配信サーバは、前記広告無画像と商品との対応を記憶する対応記憶部をさらに有し、
前記印刷装置は、前記商品が購入された旨を示す購入済情報を出力する購入済情報部をさらに有し、
前記広告画像配信サーバの前記配信許可部は、前記印刷装置の前記購入済情報部から前記購入済情報を受信した場合に、前記予め定められた期間よりも短い期間後に、前記商品に対応する前記広告無画像を配信することを許可する請求項２に記載の広告画像配信システム。
【請求項４】
前記広告画像配信サーバの前記配信許可部は、前記印刷済情報に基づいて前記印刷装置が予め定められた枚数の前記広告有画像を印刷したと判断した場合に、前記広告無画像を配信することを許可する請求項１に記載の広告画像配信システム。
【請求項５】
前記印刷装置の前記印刷済情報出力部は、前記広告有画像を印刷した用紙の種類を示す用紙種類情報をさらに出力し、
前記広告画像配信サーバの前記配信許可部は、前記印刷装置の前記印刷済情報出力部から受信した前記用紙種類情報が所定の条件を満たす場合に、前記広告無画像を配信することを許可する請求項１に記載の広告画像配信システム。
【請求項６】
前記印刷装置は、前記広告有画像を印刷した用紙の種類を示す用紙種類情報を記憶する用紙種類記憶部をさらに有し、
前記印刷装置の前記印刷部は、前記広告画像配信サーバの前記画像配信部から前記広告無画像を受信した場合に、前記用紙種類記憶部に記憶された種類の用紙に対して前記広告無画像を印刷する請求項１に記載の広告画像配信システム。
【請求項７】
前記印刷装置は、前記広告有画像を印刷した用紙の種類を示す用紙種類情報をさらに出力し、
前記広告画像配信サーバの前記画像配信部は、前記印刷装置の前記印刷済情報出力部から受信した用紙種類情報に応じた種類の用紙に対して前記印刷装置が印刷を行うように、前記広告無画像を配信する請求項１に記載の広告画像配信システム。
【請求項８】
前記印刷装置の前記印刷済情報出力部は、前記広告有画像を白紙に印刷したか否かを検知してその旨を示す情報をさらに出力し、
前記広告画像配信サーバの前記配信許可部は、前記印刷装置の前記印刷済情報出力部から前記広告有画像を白紙に印刷した旨を示す情報を受信した場合に、前記広告無画像を配信することを許可する請求項２に記載の広告画像配信システム。
【請求項９】
広告を含む広告有画像、および、前記広告有画像から広告を除いた広告無画像を対応付けて格納する画像格納部と、
前記画像格納部に格納された画像を印刷し、印刷が異常を検知することなく終了した場合にその旨を示す印刷済情報を出力する印刷部と、
前記印刷部から前記広告有画像について前記印刷済情報を入力した後に、前記広告有画像に対応付けられた前記広告無画像を前記印刷部で印刷することを許可する印刷許可部と
を備える印刷装置。
【請求項１０】
前記印刷許可部は、前記印刷装置が前記広告有画像の印刷を正常に終了してから予め定められた期間後に、前記広告無画像を印刷することを許可する請求項９に記載の印刷装置。
【請求項１１】
前記印刷装置は、前記広告無画像と商品との対応を記憶する対応記憶部をさらに備え、
前記印刷装置は、前記商品が購入された旨を示す購入済情報を出力する購入済情報部をさらに備え、
前記印刷許可部は、前記購入済情報部から前記購入済情報を入力した場合に、前記予め定められた期間よりも短い期間後に、前記商品に対応する前記広告無画像を印刷することを許可する請求項１０に記載の印刷装置。
【請求項１２】
前記印刷許可部は、前記印刷済情報に基づいて前記印刷装置が予め定められた枚数の前記広告有画像を印刷したと判断した場合に、前記広告無画像を印刷することを許可する請求項９に記載の印刷装置。
【請求項１３】
前記印刷部は、前記広告有画像を印刷した用紙の種類を示す用紙種類情報をさらに出力し、
前記印刷許可部は、前記印刷部から入力した前記用紙種類情報が所定の条件を満たす場合に、前記広告無画像を印刷することを許可する請求項９に記載の印刷装置。
【請求項１４】
前記印刷装置は、前記広告有画像を印刷した用紙の種類を示す用紙種類情報を記憶する用紙種類記憶部をさらに備え、
前記印刷許可部は、前記用紙種類記憶部に記憶された種類の用紙に対して前記広告無画像を印刷することを許可する請求項９に記載の印刷装置。
【請求項１５】
前記印刷部は、前記広告有画像を白紙に印刷したか否かを検知してその旨を示す情報をさらに出力し、
前記印刷許可部は、前記印刷部から前記広告有画像を白紙に印刷した旨を示す情報を入力した場合に、前記広告無画像を印刷することを許可する請求項１０に記載の印刷装置。
【発明の詳細な説明】
【技術分野】
【０００１】
本発明は、広告画像配信システムおよび印刷装置に関する。特に、本発明は、広告有画像から広告を除いた広告無画像を配信する広告画像配信システムおよび印刷装置に関する。
【背景技術】
【０００２】
企業等の広告の画像データを格納し、ユーザからの要求に基づいて、画像データを当該ユーザのプリントシステムに送信し印刷出力させる広告管理サーバが知られている（例えば、特許文献１参照。）。特許文献１に記載の広告管理サーバによれば、その画像データの印刷出力が正常終了した場合には、特典として、そのユーザに対して所定の計算により算出された金銭を付与するので、ユーザに対する宣伝効果を高めることができる。
【特許文献１】特開２００５−６２２８１号公報
【発明の開示】
【発明が解決しようとする課題】
【０００３】
しかしながら、金銭の獲得を目的とせず単に画像データの収集を目的として、広告の画像データを要求するユーザも多い。したがって、特許文献１に記載の広告管理サーバは、単に画像データの収集目的のユーザに対する宣伝効果をより高める方策を講じる余地がある。
【課題を解決するための手段】
【０００４】
上記課題を解決するために、本発明の第１の形態においては、広告画像配信サーバ、広告画像配信サーバと通信する印刷装置を備えた広告画像配信システムであって、印刷装置は、画像を印刷する印刷部、および、印刷部において印刷が異常を検知することなく終了した場合にその旨を示す印刷済情報を出力する印刷済情報出力部を有し、広告画像配信サーバは、広告を含む広告有画像、および、広告有画像から広告を除いた広告無画像を対応付けて格納する画像格納部と、広告有画像と広告無画像とを配信する画像配信部と、印刷装置の印刷済情報出力部から広告有画像について印刷済情報を受信した後に、広告有画像に対応付けられた広告無画像を画像配信部から当該印刷装置に配信することを許可する配信許可部とを有する。これにより、広告有画像を印刷した消費者に広告無画像を配信するので、広告の露出度を向上させることができる。また、消費者に対して両画像の差分である広告を印象づけることができる。したがって、消費者に対する宣伝効果を高めることができる。特に、画像データを収集するユーザに対する宣伝効果を高めることができる。
【０００５】
広告画像配信サーバの配信許可部は、印刷装置が広告有画像の印刷を正常に終了してから予め定められた期間後に、広告無画像を配信することを許可してもよい。これにより、予め定められた期間後に、先に印刷した広告有画像が広告無画像と差し替えられる時期を遅らせることができるので、広告の露出度を向上させることができる。
【０００６】
広告画像配信サーバは広告無画像と商品との対応を記憶する対応記憶部をさらに有し、印刷装置は、商品が購入された旨を示す購入済情報を出力する購入済情報部をさらに有し、広告画像配信サーバの配信許可部は、印刷装置の購入済情報部から購入済情報を受信した場合に、予め定められた期間よりも短い期間後に、商品に対応する広告無画像を配信することを許可してもよい。これにより、商品の購入者には、予め定められた期間よりも短い期間後に、その商品に対応する広告無画像を配信するので、その商品の販売を促進することができる。
【０００７】
広告画像配信サーバの配信許可部は、印刷済情報に基づいて印刷装置が予め定められた枚数の広告有画像を印刷したと判断した場合に、広告無画像を配信することを許可してもよい。これにより、広告有画像の印刷枚数の増加が見込まれるので、広告の露出度をより向上させることができる。したがって、消費者に対する宣伝効果をより高めることができる。特に、画像データを収集するユーザに対する宣伝効果をより高めることができる。
【０００８】
印刷装置の印刷済情報出力部は、広告有画像を印刷した用紙の種類を示す用紙種類情報をさらに出力し、広告画像配信サーバの配信許可部は、印刷装置の印刷済情報出力部から受信した用紙種類情報が所定の条件を満たす場合に、広告無画像を配信することを許可してもよい。これにより、所定の用紙種類情報に基づく広告有画像の印刷が見込まれるので、広告の露出度をより向上させることができる。したがって、消費者に対する宣伝効果をより高めることができる。特に、画像データを収集するユーザに対する宣伝効果をより高めることができる。
【０００９】
印刷装置は、広告有画像を印刷した用紙の種類を示す用紙種類情報を記憶する用紙種類記憶部をさらに有し、印刷装置の印刷部は、広告画像配信サーバの画像配信部から広告無画像を受信した場合に、用紙種類記憶部に記憶された種類の用紙に対して広告無画像を印刷してもよい。これにより、広告無画像と同じ高品質の用紙を用いて広告有画像を印刷させるよう、消費者に対して働きかけるので、広告有画像の印刷物が安易に破棄されるということを抑止することができる。したがって、広告の露出度をより向上させることができる。
【００１０】
印刷装置は、広告有画像を印刷した用紙の種類を示す用紙種類情報をさらに出力し、広告画像配信サーバの画像配信部は、印刷装置の印刷済情報出力部から受信した用紙種類情報に応じた種類の用紙に対して印刷装置が印刷を行うように、広告無画像を配信してもよい。これにより、広告無画像と同じ高品質の用紙を用いて広告有画像を印刷させるよう、消費者に対して働きかけるので、広告有画像の印刷物が安易に破棄されるということを抑止することができる。したがって、広告の露出度をより向上させることができる。
【００１１】
印刷装置の印刷済情報出力部は、広告有画像を白紙に印刷したか否かを検知してその旨を示す情報をさらに出力し、広告画像配信サーバの配信許可部は、印刷装置の印刷済情報出力部から広告有画像を白紙に印刷した旨を示す情報を受信した場合に、広告無画像を配信することを許可してもよい。これにより、広告有画像を白紙に印刷させるよう、消費者に対して働きかけるので、広告有画像の印刷物が安易に破棄されるということを抑止することができる。したがって、広告の露出度をより向上させることができる。
【００１２】
上記課題を解決するために、本発明の第２の形態においては、広告を含む広告有画像、および、広告有画像から広告を除いた広告無画像を対応付けて格納する画像格納部と、画像格納部に格納された画像を印刷し、印刷が異常を検知することなく終了した場合にその旨を示す印刷済情報を出力する印刷部と、印刷部から広告有画像について印刷済情報を入力した後に、広告有画像に対応付けられた広告無画像を印刷部で印刷することを許可する印刷許可部とを備える。これにより、広告有画像を印刷した消費者に広告無画像を配信するので、広告の露出度を向上させることができる。また、消費者に対して両画像の差分である広告を印象づけることができる。したがって、消費者に対する宣伝効果を高めることができる。特に、画像データを収集するユーザに対する宣伝効果を高めることができる。
【００１３】
印刷許可部は、印刷装置が広告有画像の印刷を正常に終了してから予め定められた期間後に、広告無画像を印刷することを許可してもよい。これにより、予め定められた期間後に、先に印刷した広告有画像が広告無画像と差し替えられる時期を遅らせることができるので、広告の露出度を向上させることができる。
【００１４】
印刷装置は、広告無画像と商品との対応を記憶する対応記憶部をさらに備え、印刷装置は、商品が購入された旨を示す購入済情報を出力する購入済情報部をさらに備え、印刷許可部は、購入済情報部から購入済情報を入力した場合に、予め定められた期間よりも短い期間後に、商品に対応する広告無画像を印刷することを許可してもよい。これにより、商品購入者にその商品に関する広告無画像を配信するので、その商品の販売促進に効果がある。
【００１５】
印刷許可部は、印刷済情報に基づいて印刷装置が予め定められた枚数の広告有画像を印刷したと判断した場合に、広告無画像を印刷することを許可してもよい。これにより、広告有画像の印刷枚数の増加が見込まれるので、広告の露出度をより向上させることができる。したがって、消費者に対する宣伝効果をより高めることができる。特に、画像データを収集するユーザに対する宣伝効果をより高めることができる。
【００１６】
印刷部は、広告有画像を印刷した用紙の種類を示す用紙種類情報をさらに出力し、印刷許可部は、印刷部から入力した用紙種類情報が所定の条件を満たす場合に、広告無画像を印刷することを許可してもよい。これにより、所定の用紙種類情報に基づく広告有画像の印刷が見込まれるので、広告の露出度をより向上させることができる。したがって、消費者に対する宣伝効果をより高めることができる。特に、画像データを収集するユーザに対する宣伝効果をより高めることができる。
【００１７】
印刷装置は、広告有画像を印刷した用紙の種類を示す用紙種類情報を記憶する用紙種類記憶部をさらに備え、印刷許可部は、用紙種類記憶部に記憶された種類の用紙に対して広告無画像を印刷することを許可してもよい。これにより、広告無画像と同じく高品質の用紙を用いて広告有画像を印刷させるよう、消費者に対して働きかけるので、広告有画像の印刷物が安易に破棄されるということを抑止することができる。したがって、広告の露出度をより向上させることができる。
【００１８】
印刷部は、広告有画像を白紙に印刷したか否かを検知してその旨を示す情報をさらに出力し、印刷許可部は、印刷部から広告有画像を白紙に印刷した旨を示す情報を入力した場合に、広告無画像を印刷することを許可してもよい。これにより、広告有画像を白紙に印刷させるよう、消費者に対して働きかけるので、広告有画像の印刷物が安易に破棄されるということを抑止することができる。したがって、広告の露出度をより向上させることができる。
【００１９】
なお、上記の発明の概要は、本発明の必要な特徴の全てを列挙したものではなく、これらの特徴群のサブコンビネーションもまた、発明となりうる。
【発明を実施するための最良の形態】
【００２０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００２１】
図１は、広告画像配信システム１０の一例を示す。広告画像配信システム１０は、広告画像配信サーバ２０、広告画像配信サーバ２０とネットワーク５０を介して通信する印刷装置３０を備える。広告画像配信サーバ２０の一例はウェブサーバであり、商品に関する広告を含む広告有画像３００をウェブページ上で公開する。印刷装置３０は、パーソナルコンピュータ３４、および、パーソナルコンピュータ３４からの出力に基づく印刷をするプリンタ３２を備え、例えば個人宅に設置される。パーソナルコンピュータ３４は、マウス、キーボード等の入力手段、および、ディスプレイ等の出力手段を有する。プリンタ３２は、印刷媒体の表面を読み取る光学センサ１０２を有する。当該広告画像配信システム１０において、広告画像配信サーバ２０は、印刷装置３０のユーザから、広告有画像３００から広告を除いた広告無画像３１０の印刷が要求された場合に、広告無画像３１０に対応する広告有画像３００が印刷されたことを条件に、広告無画像３１０の印刷を許可する。
【００２２】
図２は、広告画像配信システム１０の一例をブロック図で示す。図３は、印刷装置３０により表示されるウィンドウ画面４００の一例を示す。広告画像配信サーバ２０は、画像格納部１５０、画像配信部１６０、配信許可部１７０および配信許可情報格納部１８０を備える。印刷装置３０は、印刷部１００、印刷済情報出力部１１０、用紙種類記憶部１２０、購入済情報部１３０および表示部１４０を備える。なお印刷装置３０において、印刷済情報出力部１１０、用紙種類記憶部１２０、購入済情報部１３０および表示部１４０は、それぞれ、プリンタ３２およびパーソナルコンピュータ３４のいずれにあってもよい。また、プリンタ３２がパーソナルコンピュータ３４と接続されなくても独立して印刷をすることができ、上記印刷装置３０の構成をプリンタ３２がすべて有していてもよい。
【００２３】
広告画像配信サーバ２０の画像格納部１５０は、商品の種類を特定する商品特定情報（「以下、「商品ＩＤ」という。）に対応付けて、広告有画像３００を識別する広告有画像ＩＤおよび広告無画像３１０を識別する広告無画像ＩＤを記憶する対応記憶部１５２を有する。また、広告画像配信サーバ２０の画像格納部１５０は、対応記憶部１５２による商品ＩＤ、広告有画像ＩＤおよび広告無画像ＩＤの格納に加え、広告有画像ＩＤに対応付けて広告有画像３００およびサムネイル３０２を格納し、広告無画像ＩＤに対応付けて広告無画像３１０を格納する。
【００２４】
広告画像配信サーバ２０の画像配信部１６０は、印刷装置３０の印刷部１００から、広告有画像３００の印刷を要求する旨の情報および広告有画像ＩＤを受信した場合には、受信した広告有画像ＩＤにより識別される広告有画像３００を画像格納部１５０から取得する。そして画像配信部１６０は、取得した広告有画像３００を印刷部１００に配信する。
【００２５】
また、画像配信部１６０は、配信許可部１７０から、広告無画像３１０の広告無画像ＩＤに対応する広告有画像ＩＤを受け渡すべき旨の要求を受け付けた場合には、画像格納部１５０から当該広告無画像３１０に対応する広告有画像ＩＤを取得して配信許可部１７０に受け渡す。
【００２６】
また、画像配信部１６０は、配信許可部１７０から、広告無画像３１０の配信を許可する旨の情報および広告無画像ＩＤを取得した場合には、取得した広告無画像ＩＤにより識別される広告無画像３１０を画像格納部１５０から取得する。そして画像配信部１６０は、取得した広告無画像３１０、および、取得した広告無画像３１０の広告無画像ＩＤに対応する広告有画像ＩＤを印刷部１００に配信する。一方、画像配信部１６０は、配信許可部１７０から、広告無画像３１０の配信を許可しない旨の情報、および、エラーメッセージを取得した場合には、エラーメッセージを印刷部１００に配信する。
【００２７】
図３に示すように、印刷装置３０の表示部１４０は、ウィンドウ画面４００に、広告有画像ＩＤの入力を受け付ける広告有画像ＩＤ入力欄、ユーザＩＤの入力を受け付けるユーザＩＤ入力欄、商品ＩＤの入力を受け付ける商品ＩＤ入力欄、印刷する用紙の品質の選択を受け付ける用紙品質選択欄、印刷する用紙のサイズの選択を受け付ける用紙サイズ選択欄、印刷する用紙の枚数の入力を受け付ける枚数欄、広告有画像３００の印刷を要求する旨を受け付ける広告有画像印刷ボタン、および、広告無画像３１０の印刷を要求する旨を受け付ける広告無画像印刷ボタンを表示する。さらに、表示部１４０は、ウィンドウ画面４００の広告有画像ＩＤ欄に広告有画像ＩＤが入力された場合に、印刷部１００を介して、広告画像配信サーバ２０の画像格納部１５０から、広告有画像ＩＤに対応付けられたサムネイル３０２を取得し、ウィンドウ画面４００に表示する。
【００２８】
印刷装置３０の印刷部１００は、ウィンドウ画面４００の広告有画像印刷ボタンが押された場合に、ウィンドウ画面４００から広告有画像３００の印刷を要求する旨の情報、広告有画像ＩＤ、ユーザＩＤ入力欄に入力されたユーザＩＤ、用紙品質選択欄に入力された用紙品質情報、用紙サイズ選択欄に入力された用紙サイズ情報、および、枚数欄に入力された印刷枚数情報を取得する。同様に、印刷装置３０の印刷部１００は、ウィンドウ画面４００の広告無画像印刷ボタンが押された場合に、ウィンドウ画面４００から広告無画像３１０の印刷を要求する旨の情報、広告無画像ＩＤ、ユーザＩＤ、および、印刷枚数情報を取得する。ここで、用紙品質情報および用紙サイズ情報は、用紙の種類を示す用紙種類情報の一例である。
【００２９】
印刷装置３０の印刷部１００は、画像配信部１６０から広告有画像３００を受信した場合に、ウィンドウ画面４００から取得した用紙品質情報、用紙サイズ情報および印刷枚数情報に基づいて、広告有画像３００を印刷する。さらに、印刷部１００は、印刷した広告有画像３００に係る用紙品質情報および用紙サイズ情報を用紙種類記憶部１２０に記憶する。
【００３０】
一方、印刷部１００は、画像配信部１６０から広告無画像３１０を受信した場合には、用紙種類記憶部１２０に記憶された用紙品質情報、用紙サイズ情報、および、ウィンドウ画面４００から取得した印刷枚数情報に基づいて、広告無画像３１０を印刷する。
【００３１】
印刷装置３０の印刷済情報出力部１１０は、広告有画像３００の印刷時において、用紙切れ、紙詰まり等の印刷異常、および、広告有画像３００を白紙に印刷したか否かを検知する。この場合に、印刷済情報出力部１１０は、印刷前にプラテン上を搬送される用紙の表面を読み取った光学センサ１０２からの出力結果に基づいて、広告有画像３００を白紙に印刷したか否かを検知してもよい。広告有画像３００の印刷時において印刷異常を検知しなかった場合に、印刷済情報出力部１１０は、ユーザＩＤ、広告有画像ＩＤ、用紙品質情報、用紙サイズ情報、印刷枚数情報、および、広告有画像３００を白紙に印刷したか否かを示す情報、ならびに、広告有画像３００の印刷が正常に終了した旨を示す印刷済情報を印刷部１００から取得して記憶する。また、印刷済情報出力部１１０は、上記に加えて、用紙の品質および用紙のサイズを検知してもよい。そして印刷済情報出力部１１０は、用紙の品質および用紙のサイズを検知した場合には、検知した用紙の品質および用紙のサイズを記憶してもよい。
【００３２】
印刷装置３０の用紙種類記憶部１２０は、印刷した広告有画像３００に係る用紙品質情報および用紙サイズ情報を、ユーザＩＤおよび広告有画像ＩＤに対応付けて記憶する。また、印刷装置３０の購入済情報部１３０は、ウィンドウ画面４００の商品ＩＤ入力欄に入力された商品ＩＤの入力を受け付ける。
【００３３】
広告画像配信サーバ２０の配信許可部１７０は、ウィンドウ画面４００の広告有画像印刷ボタンが押された場合であって、広告有画像３００の印刷が正常に終了した場合に、印刷済情報出力部１１０から送信された、広告有画像３００の印刷が正常に終了した旨を示す印刷済情報、ユーザＩＤ、広告有画像ＩＤ、用紙品質情報、用紙サイズ情報、印刷枚数情報、および、広告有画像３００を白紙に印刷したか否かを示す情報を受信する。また、配信許可部１７０は、印刷済情報出力部１１０からこれらの情報を受信した場合には、その受信時刻を取得する。そして配信許可部１７０は、配信許可実績情報として、これらの情報を対応付けて配信許可情報格納部１８０に格納する。
【００３４】
広告画像配信サーバ２０の配信許可情報格納部１８０は、配信許可実績情報として、ユーザＩＤ、広告有画像ＩＤ、用紙品質情報、用紙サイズ情報、印刷枚数情報、広告有画像３００を白紙に印刷したか否かを示す情報、および、受信時刻を対応付けて格納する。また、配信許可情報格納部１８０は、配信許可実績情報に加えて、広告無画像３１０の配信に関する許否判断の基準値として予め定められた、広告有画像３００を印刷した枚数、広告有画像３００の印刷からの期間、この期間よりも短い期間、所定の用紙品質、および、所定の用紙サイズを格納する。
【００３５】
配信許可部１７０は、ウィンドウ画面４００の広告無画像印刷ボタンが押された場合に、印刷部１００から送信された、広告無画像３１０の印刷を要求する旨の情報、広告無画像ＩＤおよびユーザＩＤを受信し、購入済情報部１３０から商品ＩＤを受信する。また、配信許可部１７０は、印刷部１００等からこれらの情報を受信した場合には、現在時刻を取得する。また、配信許可部１７０は、画像配信部１６０から、当該広告無画像３１０の広告無画像ＩＤに対応する広告有画像ＩＤを取得する。
【００３６】
さらに、配信許可部１７０は、印刷部１００等からこれらの情報を受信した場合に、当該広告無画像３１０に対応する広告有画像３００が所定の条件を満足して印刷されたか否かを判断する。この場合に、本実施形態において配信許可部１７０は、所定の条件として、印刷枚数、用紙の品質、用紙の大きさ、白紙か否かについて判断する。
【００３７】
この場合に、配信許可部１７０は、受信したユーザＩＤおよび取得した広告有画像ＩＤに対応付けて配信許可情報格納部１８０に配信許可実績情報として格納された印刷枚数情報と、配信許可情報格納部１８０に格納された許否判断の基準値として予め定められた枚数とを比較して、予め定められた枚数分の広告有画像３００を印刷したか否かを判断する。同様に、配信許可部１７０は、上記ユーザＩＤおよび上記広告有画像ＩＤに対応付けて配信許可情報格納部１８０に配信許可実績情報として格納された用紙品質情報と、配信許可情報格納部１８０に許否判断の基準値として格納された所定の用紙品質とを比較して、所定の品質以上の品質で広告有画像３００を印刷したか否かを判断する。同様に、配信許可部１７０は、上記ユーザＩＤおよび上記広告有画像ＩＤに対応付けて配信許可情報格納部１８０に配信許可実績情報として格納された用紙サイズ情報と、配信許可情報格納部１８０に許否判断の基準値として格納された所定の用紙サイズとを比較して、所定のサイズ以上のサイズで広告有画像３００を印刷したか否かを判断する。同様に、配信許可部１７０は、上記ユーザＩＤおよび上記広告有画像ＩＤに対応付けて配信許可情報格納部１８０に配信許可実績情報として格納された広告有画像３００を白紙に印刷したか否かを示す情報を参照して、広告有画像３００を白紙に印刷したか否かを判断する。
【００３８】
さらに、配信許可部１７０は、他の所定の条件として、広告有画像３００を印刷してから所定の期間が経過したか否か、商品を購入したか否かについて判断する。この場合に、配信許可部１７０は、上記ユーザＩＤおよび上記広告有画像ＩＤに対応付けて配信許可情報格納部１８０に配信許可実績情報として格納された受信時刻と、現在時刻と、配信許可情報格納部１８０に許否判断の基準値として格納された予め定められた期間とを比較して、広告有画像３００の印刷を正常に終了してから、予め定められた期間を経過しているか否かを判断する。さらに、配信許可部１７０は、印刷部１００から受信した広告無画像ＩＤに対応付けて画像格納部１５０に格納された商品ＩＤを、画像配信部１６０を介して取得する。そして配信許可部１７０は画像配信部１６０を介して取得した商品ＩＤと、購入済情報部１３０から受信した商品ＩＤとを比較して、上記広告無画像ＩＤに対応する商品ＩＤにより識別される商品を購入したか否かを判断する。
【００３９】
配信許可部１７０は、予め定められた枚数分の広告有画像３００を印刷したと判断し、予め定められた大きさ以上で広告有画像３００を印刷したと判断し、広告有画像３００を白紙に印刷したと判断し、広告有画像３００の印刷を正常に終了してから予め定められた期間を経過していると判断した場合には、広告無画像３１０の配信を許可する。この場合に、配信許可部１７０は、広告無画像３１０の配信を許可する旨の情報、および、広告無画像ＩＤを画像配信部１６０に受け渡す。
【００４０】
また、配信許可部１７０は、上記場合に加えて、広告無画像ＩＤに対応する商品ＩＤにより識別される商品を購入したと判断し、広告有画像３００の印刷を正常に終了してから予め定められた期間よりも短い所定期間を経過していると判断した場合にも、広告無画像３１０の配信を許可する。
【００４１】
一方、配信許可部１７０は、これらの場合以外の場合には、広告無画像３１０の配信を許可しない。この場合に、配信許可部１７０は、広告無画像３１０の配信を許可しない旨の情報、および、その理由として、エラーメッセージを画像配信部１６０に供給する。
【００４２】
図４は、広告有画像３００を印刷する動作のフローチャートの一例を示す。本フローチャートは、表示部１４０がウィンドウ画面４００にサムネイル３０２を表示している場合において、広告有画像印刷ボタンが押されたことにより開始する。なお、プリンタ３２には充分な白紙がセットされているものとする。印刷部１００は、広告有画像３００の印刷を要求する旨の情報、広告有画像ＩＤ、ユーザＩＤ、用紙品質情報、用紙サイズ情報、印刷枚数情報をウィンドウ画面４００から取得する（Ｓ１００）。そして印刷部１００は、広告有画像３００の印刷を要求する旨の情報および広告有画像ＩＤ等を広告画像配信サーバ２０の画像配信部１６０に送信する。画像配信部１６０は、受信した広告有画像ＩＤにより識別される広告有画像３００を画像格納部１５０から取得する。そして画像配信部１６０は、取得した広告有画像３００を印刷部１００に配信する。
【００４３】
印刷部１００は、ウィンドウ画面４００から取得した用紙品質情報、用紙サイズ情報および印刷枚数情報に基づいて、配信された広告有画像３００を印刷する（Ｓ１１０）。この場合に、印刷済情報出力部１１０は、広告有画像３００の印刷時において、用紙切れ、紙詰まり等の印刷異常、および、広告有画像３００を白紙に印刷したか否かを検知する。印刷異常が検知されなかった場合に、印刷済情報出力部１１０は、印刷部１００からユーザＩＤ、広告有画像ＩＤ、印刷した広告有画像３００に係る用紙品質情報、用紙サイズ情報、印刷枚数情報、および、広告有画像３００を白紙に印刷したか否かを示す情報を取得し、広告有画像３００の印刷が正常に終了した旨を示す印刷済情報に対応付けて記憶する。
【００４４】
続いて、印刷部１００は、印刷した広告有画像３００に係る用紙品質情報、用紙サイズ情報を用紙種類記憶部１２０に記憶させる（Ｓ１２０）。また、印刷済情報出力部１１０は、取得した情報を広告画像配信サーバ２０の配信許可部１７０に出力する（Ｓ１３０）。
【００４５】
配信許可部１７０は、印刷済情報出力部１１０から、広告有画像３００の印刷が正常に終了した旨を示す印刷済情報、ユーザＩＤ、広告有画像ＩＤ、用紙品質情報、用紙サイズ情報、印刷枚数情報、および、広告有画像３００を白紙に印刷したか否かを示す情報を受信する。また、配信許可部１７０は、印刷済情報出力部１１０からこれらの情報を受信した受信時刻を取得する。
【００４６】
続いて、配信許可部１７０は、配信許可実績情報として、ユーザＩＤ、広告有画像ＩＤ、用紙品質情報、用紙サイズ情報、印刷枚数情報、広告有画像３００を白紙に印刷したか否かを示す情報、および、受信時刻を配信許可情報格納部１８０に格納させる（Ｓ１４０）。そして本ステップは終了する。
【００４７】
図５は、広告無画像３１０を印刷する動作のフローチャートの一例を示す。本フローチャートは、表示部１４０がウィンドウ画面４００にサムネイル３０２を表示している場合において、広告無画像印刷ボタンが押されたことにより開始する。印刷部１００は、広告無画像３１０の印刷を要求する旨の情報、広告無画像ＩＤ、ユーザＩＤ、印刷枚数情報をウィンドウ画面４００から取得する（Ｓ２１０）。また購入済情報部１３０は商品ＩＤを取得する（同ステップ）。
【００４８】
印刷部１００は、広告無画像３１０の印刷を要求する旨の情報および広告無画像ＩＤ等を広告画像配信サーバ２０の配信許可部１７０に送信する（Ｓ２２０）。また、購入済情報部１３０は、取得した商品ＩＤを、広告画像配信サーバ２０の配信許可部１７０に送信する（同ステップ）。配信許可部１７０は、印刷部１００から広告無画像３１０の印刷を要求する旨の情報、広告無画像ＩＤおよびユーザＩＤを、購入済情報部１３０から商品ＩＤを受信する。そして配信許可部１７０は、当該広告無画像ＩＤに対応付けられた広告有画像ＩＤを画像配信部１６０を介して画像格納部１５０から取得する。
【００４９】
配信許可部１７０は、予め定められた枚数、当該広告無画像３１０に対応する広告有画像３００を印刷したか否かを判断する（Ｓ２３０）。これにより、予め定められた枚数、当該広告無画像３１０に対応する広告有画像３００を印刷していなければ、当該広告無画像３１０の配信を許可しないので、広告の露出度をより向上させることができる。したがって、消費者に対する宣伝効果をより高めることができる。
【００５０】
ステップＳ２３０において、配信許可部１７０は予め定められた枚数、当該広告無画像３１０に対応する広告有画像３００を印刷したと判断した場合（Ｓ２３０：Ｙｅｓ）、配信許可部１７０は、当該広告無画像３１０に対応する広告有画像３００を所定の用紙品質・用紙サイズで印刷したか否かを判断する（Ｓ２４０）。これにより、所定の用紙品質・用紙サイズで当該広告無画像３１０に対応する広告有画像３００を印刷していなければ、当該広告無画像３１０の配信を許可しないので、広告の露出度をより向上させることができる。したがって、消費者に対する宣伝効果をより高めることができる。
【００５１】
ステップＳ２４０において、配信許可部１７０は当該広告無画像３１０に対応する広告有画像３００を所定の用紙品質・用紙サイズで印刷したと判断した場合（Ｓ２４０：Ｙｅｓ）、配信許可部１７０は、当該広告無画像３１０に対応する広告有画像３００を白紙に印刷したか否かを判断する（Ｓ２５０）。これにより、当該広告無画像３１０に対応する広告有画像３００を白紙に印刷しなければ、当該広告無画像３１０の配信を許可しないので、広告有画像３００の印刷物が安易に破棄されるということを抑止することができる。したがって、消費者に対する宣伝効果をより高めることができる。
【００５２】
ステップＳ２５０において、配信許可部１７０は当該広告無画像３１０に対応する広告有画像３００を白紙に印刷したと判断した場合（Ｓ２５０：Ｙｅｓ）、配信許可部１７０は、当該広告無画像３１０に対応する広告有画像３００の印刷を正常に終了してから予め定められた期間を経過しているか否かを判断する（Ｓ２６０）。これにより、当該広告無画像３１０に対応する広告有画像３００を印刷してから予め定められた期間を経過するまで、当該広告無画像３１０の配信を許可しないので、先に印刷した広告有画像３００が広告無画像３１０と差し替えられる時期を遅らせることができる。したがって、消費者に対する宣伝効果をより高めることができる。
【００５３】
ステップＳ２６０において、配信許可部１７０は当該広告無画像３１０に対応する広告有画像３００の印刷を正常に終了してから予め定められた期間を経過していると判断した場合（Ｓ２６０：Ｙｅｓ）、配信許可部１７０は、当該広告無画像３１０の配信を許可する（Ｓ２７０）。この場合に、配信許可部１７０は、広告無画像３１０の配信を許可する旨の情報、および、広告無画像ＩＤを画像配信部１６０に供給する（同ステップ）。
【００５４】
画像配信部１６０は、取得した広告有画像ＩＤにより識別される広告無画像３１０を画像格納部１５０から取得する。そして画像配信部１６０は、取得した広告無画像３１０、および、既に画像格納部１５０から取得している当該広告無画像ＩＤに対応付けられた広告有画像ＩＤを印刷部１００に配信する（Ｓ２８０）。
【００５５】
印刷部１００は、用紙種類記憶部１２０に記憶された用紙品質情報、用紙サイズ情報を取得する（Ｓ２９０）。そして印刷部１００は、ステップ２１０においてウィンドウ画面４００から取得した印刷枚数情報とこれらの情報に基づいて広告無画像３１０を印刷する（Ｓ３００）。そして本フローチャートは終了する。これにより、広告無画像３１０と同じ高品質の用紙を用いて広告有画像３００を印刷させるよう、消費者に対して働きかけるので、広告有画像３００の印刷物が安易に破棄されるということを抑止することができる。したがって、消費者に対する宣伝効果をより高めることができる。
【００５６】
一方、ステップＳ２３０において、配信許可部１７０は予め定められた枚数、当該広告無画像３１０に対応する広告有画像３００を印刷していないと判断した場合（Ｓ２３０：Ｎｏ）、ステップＳ２４０において、当該広告無画像３１０に対応する広告有画像３００を所定の用紙品質・用紙サイズで印刷していないと判断した場合（Ｓ２４０：Ｎｏ）、または、ステップＳ２５０において、配信許可部１７０は当該広告無画像３１０に対応する広告有画像３００を白紙に印刷していないと判断した場合（Ｓ２５０：Ｎｏ）、配信許可部１７０は、広告無画像３１０の配信を許可しない（Ｓ３３０）。具体的には、配信許可部１７０は、広告無画像３１０の配信を許可しない旨の情報、および、その理由として、エラーメッセージを画像配信部１６０に供給する（同ステップ）。
【００５７】
画像配信部１６０は、配信許可部１７０から、エラーメッセージを取得して印刷部１００に配信する（Ｓ３４０）。印刷部１００は、画像配信部１６０からエラーメッセージを受信して表示部１４０に供給する。表示部１４０は、取得したエラーメッセージを表示する（Ｓ３５０）。そして本フローチャートは終了する。
【００５８】
一方、ステップＳ２６０において、配信許可部１７０は当該広告無画像３１０に対応する広告有画像３００の印刷を正常に終了してから予め定められた期間を経過していないと判断した場合（Ｓ２６０：Ｎｏ）、配信許可部１７０は、当該広告無画像３１０に関する商品を購入したか否かを判断する（Ｓ３１０）。ステップＳ３１０において、配信許可部１７０は当該広告無画像３１０に関する商品を購入したと判断した場合（Ｓ３１０：Ｙｅｓ）、配信許可部１７０は、当該広告無画像３１０に対応する広告有画像３００の印刷を正常に終了してから予め定められた期間よりも短い所定期間を経過しているか否かを判断する（Ｓ３２０）。これにより、商品の購入者には、予め定められた期間よりも短い所定期間後に、その商品に対応する広告無画像３１０を配信するので、その商品の販売を促進することができる。
【００５９】
ステップＳ３２０において、配信許可部１７０は当該広告無画像３１０に対応する広告有画像３００の印刷を正常に終了してから予め定められた期間よりも短い所定期間を経過していると判断した場合（Ｓ３２０：Ｙｅｓ）、ステップＳ２７０に進む。ステップＳ３１０において、配信許可部１７０は、当該広告無画像３１０に関する商品を購入していないと判断した場合（Ｓ３１０：Ｎｏ）、または、ステップＳ３２０において、配信許可部１７０は、当該広告無画像３１０に対応する広告有画像３００の印刷を正常に終了してから予め定められた期間よりも短い所定期間を経過していないと判断した場合（Ｓ３２０：Ｎｏ）、ステップＳ３３０に進む。
【００６０】
図６は、広告画像配信システム１２の他の一例を示す。広告画像配信システム１２は、広告画像配信サーバ６０、広告画像配信サーバ６０とネットワーク５０を介して通信する印刷装置７０を備える。印刷装置７０は、パーソナルコンピュータ７４、および、パーソナルコンピュータ７４からの出力に基づく印刷をするプリンタ７２を備える。パーソナルコンピュータ７４は、マウス、キーボード等の入力手段、および、ディスプレイ等の出力手段を有する。プリンタ７２は、印刷媒体の表面を読み取る光学センサ１０２を有する。
【００６１】
図７は、印刷装置７０の一例をブロック図で示す。図８は、印刷装置７０により表示されるウィンドウ画面５００の一例を示す。印刷装置７０は、画像格納部２５０、印刷許可部２７０、印刷許可情報格納部２８０、印刷部２００、用紙種類記憶部２２０、購入済情報部２３０および表示部２４０を備える。画像格納部２５０は、商品ＩＤに対応付けて、広告有画像ＩＤおよび広告無画像ＩＤを記憶する対応記憶部２５２を有する。また、画像格納部２５０は、対応記憶部２５２による商品ＩＤ、広告有画像ＩＤおよび広告無画像ＩＤの格納に加え、広告有画像ＩＤに対応付けて広告有画像３００およびサムネイル３０２を格納し、広告無画像ＩＤに対応付けて広告無画像３１０を格納する。
【００６２】
画像格納部２５０に格納される広告有画像３００、サムネイル３０２および広告無画像３１０は、広告画像配信サーバ６０から取得されたものであってもよいし、メモリカード等の外部記憶媒体から取得したものであってもよい。
【００６３】
図８に示すように、表示部２４０は、印刷装置３０の表示部１４０が表示する図３と同様のウィンドウ画面５００を表示する。
【００６４】
印刷部２００は、ウィンドウ画面５００の広告有画像印刷ボタンが押された場合に、ウィンドウ画面５００から広告有画像３００の印刷を要求する旨の情報、広告有画像ＩＤ、用紙品質選択欄に入力された用紙品質情報、用紙サイズ選択欄に入力された用紙サイズ情報、および、枚数欄に入力された印刷枚数情報を取得する。同様に、印刷装置３０の印刷部１００は、ウィンドウ画面４００の広告無画像印刷ボタンが押された場合に、ウィンドウ画面５００から広告無画像３１０の印刷を要求する旨の情報、広告無画像ＩＤ、および、枚数欄に入力された印刷枚数情報を取得する。ここで、用紙品質情報および用紙サイズ情報は、用紙の種類を示す用紙種類情報の一例である。
【００６５】
印刷部２００は、ウィンドウ画面５００の広告有画像印刷ボタンが押された場合に、ウィンドウ画面５００から取得した用紙品質情報、用紙サイズ情報および印刷枚数情報に基づいて、画像格納部２５０から取得した広告有画像３００を印刷する。
【００６６】
一方、印刷部２００は、後述する印刷許可部２７０から、広告無画像３１０の印刷を許可する旨の情報、広告無画像ＩＤ、用紙品質情報、用紙サイズ情報および印刷枚数情報を取得した場合に、上記広告無画像ＩＤにより識別される広告無画像３１０を画像格納部２５０から取得する。そして印刷部２００は、取得した用紙品質情報、用紙サイズ情報、および、ウィンドウ画面５００から取得した印刷枚数情報に基づいて、広告無画像３１０を印刷する。
【００６７】
用紙種類記憶部２２０は、印刷した広告有画像３００に係る用紙品質情報および用紙サイズ情報を、広告有画像ＩＤに対応付けて記憶する。購入済情報部２３０はウィンドウ画面５００の商品ＩＤ入力欄に入力された商品ＩＤを取得する。
【００６８】
印刷許可部２７０は、広告有画像３００の印刷時において、用紙切れ、紙詰まり等の印刷異常、および、広告有画像３００を白紙に印刷したか否かを検知する。広告有画像３００の印刷時において印刷異常を検知しなかった場合に、印刷許可部２７０は、広告有画像ＩＤ、用紙品質情報、用紙サイズ情報、印刷枚数情報、および、広告有画像３００を白紙に印刷したか否かを示す情報を印刷部２００から取得して、広告有画像３００の印刷が正常に終了した旨を示す印刷済情報に対応付けて記憶する。また、印刷許可部２７０は、上記に加えて、用紙の品質および用紙のサイズを検知してもよい。そして印刷許可部２７０は、用紙の品質および用紙のサイズを検知した場合には、検知した用紙の品質および用紙のサイズを記憶してもよい。また、印刷許可部２７０は、印刷部２００からこれらの情報を取得した場合には、その取得時刻を取得する。
【００６９】
そして、印刷許可部２７０は、取得した用紙品質情報および用紙サイズ情報を用紙種類記憶部２２０に記憶する。また、印刷許可部２７０は、印刷許可実績情報として、広告有画像ＩＤ、用紙サイズ情報、印刷枚数情報、広告有画像３００を白紙に印刷したか否かを示す情報、および、取得時刻を印刷許可情報格納部２８０に格納する。
【００７０】
印刷許可情報格納部２８０は、印刷許可実績情報として、広告有画像ＩＤ、用紙品質情報、用紙サイズ情報、印刷枚数情報、広告有画像３００を白紙に印刷したか否かを示す情報、および、取得時刻を対応付けて格納する。また、印刷許可情報格納部２８０は、印刷許可実績情報に加えて、広告無画像３１０の配信に関する許否判断の基準値として予め定められた、広告有画像３００を印刷した枚数、広告有画像３００の印刷からの期間、この期間よりも短い期間、所定の用紙品質、および、所定の用紙サイズを格納する。なお、印刷許可情報格納部２８０に格納される許否判断の基準値として予め定められた広告有画像３００を印刷した枚数等は、広告画像配信サーバ６０から取得されたものであってもよいし、メモリカード等の外部記憶媒体から取得したものであってもよい。また、印刷装置７０の印刷許可情報格納部２８０にかえて、広告画像配信サーバ６０が印刷許可実績情報または許否判断の基準値を格納してもよい。
【００７１】
印刷許可部２７０は、ウィンドウ画面５００の広告無画像印刷ボタンが押された場合には、印刷部２００から広告無画像３１０の印刷を要求する旨の情報、広告無画像ＩＤを取得し、購入済情報部２３０から商品ＩＤを取得する。また、印刷許可部２７０は、印刷部２００等からこれらの情報を取得した場合には、現在時刻を取得する。また、印刷許可部２７０は、画像格納部２５０から、当該広告無画像３１０の広告無画像ＩＤに対応する広告有画像ＩＤを取得する。
【００７２】
さらに、印刷許可部２７０は、印刷部２００等からこれらの情報を取得した場合に、配信許可部１７０と同様に、当該広告無画像３１０に対応する広告有画像３００が所定の条件を満足して印刷されたか否かを判断する。この場合に、印刷許可部２７０は、取得した広告有画像ＩＤに対応付けて印刷許可情報格納部２８０に印刷許可実績情報として格納された印刷枚数情報と、印刷許可情報格納部２８０に許否判断の基準値として格納された予め定められた枚数とを比較して、予め定められた枚数分の広告有画像３００を印刷したか否かを判断する。同様に、印刷許可部２７０は、上記広告有画像ＩＤに対応付けて印刷許可情報格納部２８０に印刷許可実績情報として格納された用紙品質情報と、印刷許可情報格納部２８０に許否判断の基準値として格納された所定の用紙品質とを比較して、所定の品質以上の品質で広告有画像３００を印刷したか否かを判断する。同様に、印刷許可部２７０は、上記広告有画像ＩＤに対応付けて印刷許可情報格納部２８０に許否判断の基準値として格納された用紙サイズ情報と、印刷許可情報格納部２８０に許否判断の基準値として格納された所定の用紙サイズとを比較して、所定のサイズ以上のサイズで広告有画像３００を印刷したか否かを判断する。同様に、印刷許可部２７０は、上記広告有画像ＩＤに対応付けて印刷許可情報格納部２８０に印刷許可実績情報として格納された広告有画像３００を白紙に印刷したか否かを示す情報を参照して、広告有画像３００を白紙に印刷したか否かを判断する。同様に、印刷許可部２７０は、上記広告有画像ＩＤに対応付けて印刷許可情報格納部２８０に印刷許可実績情報として格納された取得時刻と、現在時刻と、印刷許可情報格納部２８０に許否判断の基準値として格納された予め定められた期間とを比較して、広告有画像３００の印刷を正常に終了してから、予め定められた期間を経過しているか否かを判断する。さらに、印刷許可部２７０は、印刷部２００から取得した広告無画像ＩＤに対応付けて画像格納部２５０に格納された商品ＩＤを取得する。そして印刷許可部２７０は、上記商品ＩＤと、購入済情報部２３０から取得した商品ＩＤとを比較して、上記広告無画像ＩＤに対応する商品ＩＤにより識別される商品を購入したか否かを判断する。
【００７３】
印刷許可部２７０は、予め定められた枚数分の広告有画像３００を印刷したと判断し、予め定められた大きさ以上で広告有画像３００を印刷したと判断し、広告有画像３００を白紙に印刷したと判断し、広告有画像３００の印刷を正常に終了してから予め定められた期間を経過していると判断した場合に、広告無画像３１０の印刷を許可する。この場合に、印刷許可部２７０は、広告無画像３１０の配信を許可する旨の情報、および、広告無画像３１０の印刷を許可する旨の情報および広告無画像ＩＤを印刷部２００に受け渡す。また、印刷許可部２７０は、上記に加えて、用紙品質情報および用紙サイズ情報を用紙種類記憶部２２０から取得して印刷部２００に受け渡す。
【００７４】
また、印刷許可部２７０は、上記場合に加えて、広告無画像ＩＤに対応する商品ＩＤにより識別される商品を購入したと判断し、上記広告無画像ＩＤに対応する広告有画像３００の印刷を正常に終了してから予め定められた期間よりも短い所定期間を経過していると判断した場合にも、広告無画像３１０の印刷を許可する。
【００７５】
一方、印刷許可部２７０は、これらの場合以外の場合には、広告無画像３１０の印刷を許可しない。具体的には、印刷許可部２７０は、広告無画像３１０の印刷を許可しない旨の情報、および、その理由として、エラーメッセージを印刷部２００に供給する。
【００７６】
図９は、広告有画像３００を印刷する動作のフローチャートの一例を示す。本フローチャートは、表示部２４０がウィンドウ画面５００にサムネイル３０２を表示している場合において、広告有画像印刷ボタンが押されたことにより開始する。なお、プリンタ７２には充分な白紙がセットされているものとする。印刷部２００は、広告有画像３００の印刷を要求する旨の情報、広告有画像ＩＤ、用紙品質情報、用紙サイズ情報、印刷枚数情報をウィンドウ画面５００から取得する（Ｓ４００）。そして印刷部２００は、この広告有画像ＩＤにより識別される広告有画像３００を画像格納部２５０から取得する。
【００７７】
印刷部２００は、ウィンドウ画面５００から取得した用紙品質情報、用紙サイズ情報および印刷枚数情報に基づいて、画像格納部２５０から取得した広告有画像３００を印刷する（Ｓ４１０）。この場合に、印刷許可部２７０は、広告有画像３００の印刷時において、用紙切れ、紙詰まり等の印刷異常、および、広告有画像３００を白紙に印刷したか否かを検知する。印刷異常が検知されなかった場合に、印刷許可部２７０は、印刷部２００から、印刷した広告有画像３００に対応する広告有画像ＩＤ、印刷した広告有画像３００に係る用紙品質情報、用紙サイズ情報、印刷枚数情報、および、広告有画像３００を白紙に印刷したか否かを示す情報を取得する。また、印刷許可部２７０は、印刷部２００からこれらの情報を取得した場合には、その取得時刻を取得する。
【００７８】
印刷許可部２７０は、取得した用紙品質情報および用紙サイズ情報を用紙種類記憶部２２０に記憶する（Ｓ４３０）。また、印刷許可部２７０は、印刷許可実績情報として、広告無画像ＩＤ、用紙品質情報、用紙サイズ情報、印刷枚数情報、広告有画像３００を白紙に印刷したか否かを示す情報、および、取得時刻を印刷許可情報格納部２８０に格納する（Ｓ４４０）。そして本ステップは終了する。
【００７９】
図１０は、広告無画像３１０を印刷する動作のフローチャートの一例を示す。本フローチャートは、表示部２４０がウィンドウ画面５００にサムネイル３０２を表示している場合において、広告無画像印刷ボタンが押されたことにより開始する。印刷部２００は、広告無画像３１０の印刷を要求する旨の情報、広告無画像ＩＤ、印刷枚数情報を取得する（Ｓ５１０）。また購入済情報部２３０は商品ＩＤを取得する（同ステップ）。印刷部２００は、取得した広告無画像３１０の印刷を要求する旨の情報および広告無画像ＩＤを印刷許可部２７０に供給する。また、購入済情報部２３０は、取得した商品ＩＤを印刷許可部２７０に供給する。
【００８０】
印刷許可部２７０は、印刷部２００から広告無画像３１０の印刷を要求する旨の情報および広告無画像ＩＤを、購入済情報部２３０から商品ＩＤを取得する。そして印刷許可部２７０は、当該広告無画像ＩＤに対応付けられた広告有画像ＩＤを画像格納部２５０から取得する。
【００８１】
そして印刷許可部２７０は、予め定められた枚数、当該広告無画像３１０に対応する広告有画像３００を印刷したか否かを判断する（Ｓ５３０）。これにより、予め定められた枚数、当該広告無画像３１０に対応する広告有画像３００を印刷していなければ、当該広告無画像３１０の配信を許可しないので、広告の露出度をより向上させることができる。したがって、消費者に対する宣伝効果をより高めることができる。
【００８２】
ステップＳ５３０において、印刷許可部２７０は予め定められた枚数、当該広告無画像３１０に対応する広告有画像３００を印刷したと判断した場合（Ｓ５３０：Ｙｅｓ）、印刷許可部２７０は、当該広告無画像３１０に対応する広告有画像３００を所定の用紙品質・用紙サイズで印刷したか否かを判断する（Ｓ５４０）。これにより、所定の用紙品質・用紙サイズで当該広告無画像３１０に対応する広告有画像３００を印刷していなければ、当該広告無画像３１０の印刷を許可しないので、広告の露出度をより向上させることができる。したがって、消費者に対する宣伝効果をより高めることができる。
【００８３】
ステップＳ５４０において、印刷許可部２７０は当該広告無画像３１０に対応する広告有画像３００を所定の用紙品質・用紙サイズで印刷したと判断した場合（Ｓ５４０：Ｙｅｓ）、印刷許可部２７０は、当該広告無画像３１０に対応する広告有画像３００を白紙に印刷したか否かを判断する（Ｓ５５０）。これにより、当該広告無画像３１０に対応する広告有画像３００を白紙に印刷しなければ、当該広告無画像３１０の印刷を許可しないので、広告有画像３００の印刷物が安易に破棄されるということを抑止することができる。したがって、消費者に対する宣伝効果をより高めることができる。
【００８４】
ステップＳ５５０において、印刷許可部２７０は当該広告無画像３１０に対応する広告有画像３００を白紙に印刷したと判断した場合（Ｓ５５０：Ｙｅｓ）、印刷許可部２７０は、当該広告無画像３１０に対応する広告有画像３００の印刷を正常に終了してから予め定められた期間を経過しているか否かを判断する（Ｓ５６０）。これにより、当該広告無画像３１０に対応する広告有画像３００を印刷してから予め定められた期間を経過するまで、当該広告無画像３１０の配信を許可しないので、先に印刷した広告有画像３００が広告無画像３１０と差し替えられる時期を遅らせることができる。したがって、消費者に対する宣伝効果をより高めることができる。
【００８５】
ステップＳ５６０において、印刷許可部２７０は当該広告無画像３１０に対応する広告有画像３００の印刷を正常に終了してから予め定められた期間を経過していると判断した場合（Ｓ５６０：Ｙｅｓ）、印刷許可部２７０は、上記広告有画像ＩＤに対応付けて用紙種類記憶部２２０に記憶された用紙品質情報、用紙サイズ情報を取得する（Ｓ５７０）。そして印刷許可部２７０は、当該広告無画像３１０の印刷を許可する（Ｓ５８０）。この場合に、印刷許可部２７０は、広告無画像３１０の印刷を許可する旨の情報、および、広告無画像ＩＤ、用紙品質情報および用紙サイズ情報を印刷部２００に受け渡す。
【００８６】
印刷部２００は、印刷許可部２７０から、広告無画像３１０の印刷を許可する旨の情報、広告無画像ＩＤ、用紙品質情報および用紙サイズ情報を取得する。印刷部２００は、上記広告有画像ＩＤにより識別される広告無画像３１０を画像格納部２５０から取得する。そして印刷部２００は、ステップ５１０においてウィンドウ画面５００から取得した印刷枚数情報とこれらの情報に基づいて広告無画像３１０を印刷する（Ｓ６００）。そして本フローチャートは終了する。これにより、広告無画像３１０と同じ高品質の用紙を用いて広告有画像３００を印刷させるよう、消費者に対して働きかけるので、広告有画像３００の印刷物が安易に破棄されるということを抑止することができる。したがって、消費者に対する宣伝効果をより高めることができる。
【００８７】
一方、ステップＳ５３０において、配信許可部１７０は予め定められた枚数、当該広告無画像３１０に対応する広告有画像３００を印刷していないと判断した場合（Ｓ５３０：Ｎｏ）、ステップＳ５４０において、当該広告無画像３１０に対応する広告有画像３００を所定の用紙品質・用紙サイズで印刷していないと判断した場合（Ｓ５４０：Ｎｏ）、または、ステップＳ５５０において、配信許可部１７０は当該広告無画像３１０に対応する広告有画像３００を白紙に印刷していないと判断した場合（Ｓ５５０：Ｎｏ）、印刷許可部２７０は、広告無画像３１０の印刷を許可しない（Ｓ６３０）。具体的には、印刷許可部２７０は、広告無画像３１０の印刷を許可しない旨の情報、および、その理由として、エラーメッセージを印刷部２００に供給する（同ステップ）。印刷部２００は、取得したエラーメッセージを表示部２４０に供給する。そして表示部２４０は、取得したエラーメッセージを表示する（Ｓ６５０）。そして本フローチャートは終了する。
【００８８】
一方、ステップＳ５６０において、印刷許可部２７０は配信許可部１７０は当該広告無画像３１０に対応する広告有画像３００の印刷を正常に終了してから予め定められた期間を経過していないと判断した場合（Ｓ５６０：Ｎｏ）、印刷許可部２７０は、当該広告無画像３１０に関する商品を購入したか否かを判断する（Ｓ６１０）。ステップＳ５１０において、印刷許可部２７０は当該広告無画像３１０に関する商品を購入したと判断した場合（Ｓ６１０：Ｙｅｓ）、印刷許可部２７０は、当該広告無画像３１０に対応する広告有画像３００の印刷を正常に終了してから予め定められた期間よりも短い所定期間を経過しているか否かを判断する（Ｓ６２０）。これにより、商品の購入者には、予め定められた期間よりも短い所定期間後に、その商品に対応する広告無画像３１０を配信するので、その商品の販売を促進することができる。
【００８９】
ステップＳ６２０において、印刷許可部２７０は当該広告無画像３１０に対応する広告有画像３００の印刷を正常に終了してから予め定められた期間よりも短い所定期間を経過していると判断した場合（Ｓ６２０：Ｙｅｓ）、ステップＳ５７０に進む。ステップＳ６１０において、印刷許可部２７０は当該広告無画像３１０に関する商品を購入していないと判断した場合（Ｓ６１０：Ｎｏ）、または、ステップＳ６２０において、印刷許可部２７０は当該広告無画像３１０に対応する広告有画像３００の印刷を正常に終了してから予め定められた期間よりも短い所定期間を経過していないと判断した場合（Ｓ６２０：Ｎｏ）、ステップＳ６３０に進む。
【００９０】
以上、本実施形態によれば、広告有画像３００を印刷した消費者に広告無画像３１０を配信するので、広告の露出度を向上させることができる。また、消費者に対して両画像の差分である広告を印象づけることができる。したがって、消費者に対する宣伝効果を高めることができる。特に、画像データを収集するユーザに対する宣伝効果を高めることができる。
【００９１】
なお、広告画像配信システム１０、１２は、印刷装置３０と通信するコード読取装置を備えてもよい。コード読取装置は、商品または商品の包装容器に付されたコードから商品の種類を特定する商品ＩＤを読み取る。なお、商品または商品の包装容器に付されたコードは、例えばバーコードであってもよい。コード読取装置が商品ＩＤを読み取った場合には、ウィンドウ画面４００、５００の商品ＩＤ入力欄に、読み取った商品ＩＤが自動入力されてもよい。また、商品ＩＤに加えて、提供された役務の種類を特定する役務ＩＤをウィンドウ画面４００、５００の商品ＩＤ入力欄に入力してもよい。
【００９２】
また、印刷済情報は、用紙品質情報、用紙サイズ情報、印刷枚数情報、および、広告有画像３００を白紙に印刷したか否かを示す情報の一部または全部を含んでもよい。
【００９３】
また、広告画像配信システム１０において、広告画像配信サーバ２０が配信許可情報格納部１８０に配信許可実績情報を格納することにかえて、印刷装置３０が配信許可実績情報を格納してもよい。印刷装置３０が配信許可実績情報を格納する場合には、広告画像配信サーバ２０の配信許可部１７０は、印刷装置３０から配信許可実績情報を取得して、広告無画像３１０に対応する広告有画像３００が所定の条件を満足して印刷されたか否かを判断する。
【００９４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００９５】
【図１】広告画像配信システム１０の一例を示す。
【図２】広告画像配信システム１０のブロック図の一例を示す。
【図３】印刷装置３０により表示されるウィンドウ画面４００の一例を示す。
【図４】広告有画像３００を印刷する動作のフローチャートの一例を示す。
【図５】広告無画像３１０を印刷する動作のフローチャートの一例を示す。
【図６】広告画像配信システム１２の一例を示す。
【図７】印刷装置７０のブロック図の一例を示す。
【図８】印刷装置７０により表示されるウィンドウ画面５００の一例を示す。
【図９】広告有画像３００を印刷する動作のフローチャートの一例を示す。
【図１０】広告無画像３１０を印刷する動作のフローチャートの一例を示す。
【符号の説明】
【００９６】
１０  広告画像配信システム、１２  広告画像配信システム、２０  広告画像配信サーバ、３０  印刷装置、３２  プリンタ、３４  パーソナルコンピュータ、５０  ネットワーク、６０  広告画像配信サーバ、７０  印刷装置、７２  プリンタ、７４  パーソナルコンピュータ、１００  印刷部、１０２  光学センサ、１１０  印刷済情報出力部、１２０  用紙種類記憶部、１３０  購入済情報部、１４０  表示部、１５０  画像格納部、１５２  対応記憶部、１６０  画像配信部、１７０  配信許可部、１８０  配信許可情報格納部、２００  印刷部、２０２  光学センサ、２２０  用紙種類記憶部、２３０  購入済情報部、２４０  表示部、２５０  画像格納部、２５２  対応記憶部、２７０  印刷許可部、２８０  印刷許可情報格納部、３００  広告有画像、３０２  サムネイル、３１０  広告無画像、４００  ウィンドウ画面、４１０  ウィンドウ画面、５００  ウィンドウ画面
【図１】
2007199126.tif 000003
【図２】
2007199126.tif 000004
【図３】
2007199126.tif 000005
【図４】
2007199126.tif 000006
【図５】
2007199126.tif 000007
【図６】
2007199126.tif 000008
【図７】
2007199126.tif 000009
【図８】
2007199126.tif 000010
【図９】
2007199126.tif 000011
【図１０】
2007199126.tif 000012